(57)【要約】【課題】塗布対象に対してより均一に内容物を塗布することができる塗布具を提供すること。【解決手段】先端部から基端部に向けて延在するスリット２１Ａによって分割された複数の指部２３を有する含浸体１１と、含浸体１１を支持し、容器本体２の口部３に装着可能な支持体１２と、を備え、支持体１２が、含浸体１１のうち指部２３を各別に保持する複数の保持部３２、３２Ｌ、３２Ｒを有し、保持部３２、３２Ｌ、３２Ｒが、支持体１２の容器本体２の口部３への装着時にスリット２１Ａを拡開させるように変位可能である。【選択図】図１
2020018530.tif 000002
【特許請求の範囲】
【請求項１】
先端部から基端部に向けて延在するスリットによって分割された複数の指部を有する含浸体と、
前記含浸体を支持し、容器本体の口部に装着可能な支持体と、を備え、
前記支持体が、前記含浸体のうち前記指部を各別に保持する複数の保持部を有し、
前記保持部が、前記支持体の前記容器本体の前記口部への装着時に前記スリットを拡開させるように変位可能であることを特徴とする塗布具。
【請求項２】
前記保持部が、前記スリットが拡開する方向及び前記スリットが延在する方向に沿う方向の双方に直交する方向で前記指部を各別に挟持することを特徴とする請求項１に記載の塗布具。
【請求項３】
前記スリットが、当該スリットの拡開する方向に間隔をあけて複数形成されていることを特徴とする請求項１または２に記載の塗布具。
【発明の詳細な説明】
【技術分野】
【０００１】
本発明は、塗布具に関する。
【背景技術】
【０００２】
柱状の含浸体と、含浸体の外周面を囲み、含浸体から上方に向けて突出する櫛歯を有する筒状の櫛歯体と、を備える塗布容器が提案されている（例えば、特許文献１参照）。このような塗布容器では、例えば染毛剤などの内容物を含浸させた含浸体を頭髪などの細長い塗布対象に押し付けることによって染毛剤を頭髪に塗布している。また、この塗布容器では、櫛歯が頭髪の流れを整えることにより、頭髪に沿って塗布具を移動させやすくなるので、頭髪に対して染毛剤を均一に塗布しやすくなっている。
【先行技術文献】
【特許文献】
【０００３】
【特許文献１】特許第４５８２４５４号公報
【発明の概要】
【発明が解決しようとする課題】
【０００４】
しかしながら、上記従来の塗布具においても、櫛歯によって頭髪への染毛剤の均一な塗布を可能としてはいるものの、依然として塗布ムラが生じてしまう。
【０００５】
そこで、本発明は、塗布対象に対してより均一に内容物を塗布することができる塗布具を提供することを目的とする。
【課題を解決するための手段】
【０００６】
本発明は、上記課題を解決するために以下のような手段を採用した。すなわち、本発明の塗布具は、先端部から基端部に向けて延在するスリットによって分割された複数の指部を有する含浸体と、前記含浸体を支持し、容器本体の口部に装着可能な支持体と、を備え、前記支持体が、前記含浸体のうち前記指部を各別に保持する複数の保持部を有し、前記保持部が、前記支持体の前記容器本体の前記口部への装着時に前記スリットを拡開させるように変位可能であることを特徴とする。
【０００７】
この発明では、塗布具を容器本体の口部に装着した状態で支持体が変位して指部間のスリットが拡開されており、塗布時に指部間に塗布対象（例えば頭髪）が位置するので、含浸体と塗布対象との接触面積が増大し、含浸体を塗布対象により確実に接触させることができる。これにより、塗布対象に対して含浸体に含まれている内容物は、より均一に塗布される。
また、保持部を意識的に変位させているので、口部に塗布具を装着した状態で、スリットを確実に拡開させることができる。
【０００８】
また、本発明の塗布具では、前記保持部が、前記スリットが拡開する方向及び前記スリットが延在する方向に沿う方向の双方に直交する方向で前記指部を各別に挟持してもよい。
この発明では、指部のうちスリットが拡開する方向及びスリットが延在する方向に沿う方向の双方に直交する方向を向く面の外部への露出を抑えるので、これら面が塗布対象ではない部分（例えば塗布対象が頭髪である場合における頭皮など）に接触することを抑制できる。そのため、塗布具の操作性が向上する。
【０００９】
また、本発明の塗布具では、前記スリットが、当該スリットの拡開する方向に間隔をあけて複数形成されてもよい。
この発明では、指部が櫛歯状に配列されているので、指部間のスリットに細長い塗布対象を通過させて、塗布対象に内容物を塗布することが可能になる。そのため、塗布対象に対してより均一に内容物を塗布できる。
【発明の効果】
【００１０】
この発明にかかる塗布具によれば、指部間のスリットが拡開されて塗布対象との接触面積が増大し、含浸体に塗布対象をより確実に接触させることができる。そのため、含浸体に含まれている内容物を塗布対象により均一に塗布できる。また、保持部を意識的に変位させているので、口部に装着された塗布具においてスリットを確実に拡開させることができる。
【図面の簡単な説明】
【００１１】
【図１】本発明の一実施形態にかかる塗布具及び塗布具を備える塗布容器を示す正面の軸方向断面図である。
【図２】図１の塗布容器を示す側面の軸方向断面図である。
【図３】図１に示す塗布具を示す正面図である。
【図４】容器本体への装着前の図３に示す塗布具を示す正面図である。
【図５】図４の塗布具を示す側面図である。
【図６】図４の塗布具を示すＡ−Ａ矢視断面図である。
【図７】図１の塗布具及びこの塗布具を備える他の塗布容器を示す正面の軸方向断面図である。
【図８】図７に示す塗布容器を示す側面の軸方向断面図である。
【発明を実施するための形態】
【００１２】
以下、本発明による塗布具の一実施形態を、図面に基づいて説明する。なお、以下の説明に用いる各図面では、各部材を認識可能とするために縮尺を適宜変更している場合がある。
本実施形態にかかる塗布具１は、図１及び図２に示すように、有底円筒状の容器本体２の口部３に装着されており、塗布容器４を構成する。塗布容器４には、内容物として例えば液状の染毛剤が収容されており、塗布具１は、例えば頭髪のような細長い塗布対象に内容物を塗布するために使用される。
【００１３】
これら塗布具１及び容器本体２は、それらの中心軸線が共通軸上に位置する状態で配設されている。以下、この中心軸線を容器軸Ｏと称し、図１及び図２に示すように、容器軸Ｏに沿って容器本体２の底部（後述する底蓋体５２）から塗布具１に向かう方向を上方、その逆方向を下方とする。また、容器軸Ｏから見た平面視で容器軸Ｏに交差する方向を径方向、容器軸Ｏ回りに周回する方向を周方向とする。さらに、径方向のうち扁平な塗布具１の短軸方向を前後方向、平面視で前後方向に直交する方向を左右方向と称する。
【００１４】
塗布具１は、図１から図５に示すように、例えばフェルトなどで形成され、弾性変形可能な板状の含浸体１１と、含浸体１１を支持する支持体１２と、を備える。
含浸体１１は、図３から図５に示すように、左右方向に長い頭部２１と、頭部２１の下端に連設され、上下方向に長い脚部２２と、を有し、正面視でＴ字状をなしている。頭部２１及び脚部２２の前後方向の厚さは、ほぼ同じである。
【００１５】
頭部２１には、先端部（上端部）から基端部（下方）に延在するスリット２１Ａが左右方向に間隔をあけて複数（本実施形態では３本）形成されている。そして、頭部２１は、これらスリット２１Ａによって左右方向に配列された複数（本実施形態では４本）の指部２３に分割されている。スリット２１Ａによって形成される指部２３間におけるスリット２１Ａの左右方向の幅は、上方から下方に向かうにしたがって漸次狭くなっている。
脚部２２は、頭部２１の下端面における左右方向の中央部から下方に延在している。
なお、含浸体１１は、塗布具１を容器本体２の口部３に取り付ける前の状態で、図４に示すように、指部２３が閉じている。
【００１６】
支持体１２は、図３から図５に示すように、前後に配設され、下端部が互いにヒンジ接続された一対の支持半体３１によって形成されている。支持体１２は、指部２３を各別に挟持する複数（本実施形態では４つ）の保持部３２と、支持体１２を容器本体２の口部３に装着するための一対の案内部３３と、を有する。
保持部３２の下端部は、左右方向に隣接する他の保持部３２の下端部に連なっており、保持部３２間の左右方向の隙間は、上方から下方に向かうにしたがって漸次狭くなっている。なお、保持部３２間の左右方向の隙間は、スリット２１Ａよりも下方まで延在している。
【００１７】
保持部３２は、指部２３を前後方向に挟み込む一対の挟持部３４を有する。指部２３は、挟持部３４よりも上方及び左右方向の双方に広がっている。挟持部３４のうち前後方向の内側を向く内面には、前後方向の内側に向けて突出する保持突部３４Ａが上下方向に間隔をあけて複数（本実施形態では３つ）形成されている。また、挟持部３４の上端には、上方に向けて突出する櫛歯部３５が形成されている。櫛歯部３５は、指部２３よりも上方に突出している。なお、櫛歯部３５は、硬質であることが好ましい。
【００１８】
複数の保持部３２のうち左右方向の両端部に位置する保持部３２Ｒ、３２Ｌを各別に構成する挟持部３４Ｒ、３４Ｌは、指部２３に前後方向で対向する第１側壁部３６と、第１側壁部３６の左右方向の外端縁から前後方向の内側に向けて延設された第２側壁部３７と、第１及び第２側壁部３６、３７の下端縁から左右方向及び前後方向の双方の内側に向けて延設された底壁部３８と、を有する。一対の第２側壁部３７の前後方向の内端縁は、互いに当接または近接しており、同様に、一対の底壁部３８の前後方向の内端縁は、互いに当接または近接している。
第２側壁部３７の上端部の前後方向の内側の縁部には、左右方向の外側に突出する第１係止突部３７Ａが設けられている。また、第２側壁部３７の下端部の前後方向の内側の縁部には、左右方向の外側に突出する第２係止突部３７Ｂが設けられている。
【００１９】
案内部３３は、保持部３２Ｒ、３２Ｌを構成する底壁部３８から下方に延設されている。そして、案内部３３は、前後に配設された一対の案内片部４１によって構成されている。一対の案内片部４１の下端部は、ヒンジ部４２を介して互いに連結されている。一対の案内片部４１のうち前側に配設される案内片部４１の上端部には、取付孔部４１Ａが形成されており、この一対の案内片部４１のうち後側に配設される案内片部４１の上端部には、取付孔部４１Ａに係止する取付突部４１Ｂが前方に向けて突設されている。
【００２０】
これら複数対の挟持部３４のうち前側に配設される挟持部３４と案内部３３のうち前側に配設される案内片部４１とによって、一対の支持半体３１のうち前側に配設される支持半体３１が構成され、これら複数対の挟持部３４のうち後側に配設される挟持部３４と案内部３３のうち後側に配設される案内片部４１とによって、一対の支持半体３１のうち後側に配設される支持半体３１が構成される。
【００２１】
容器本体２は、図１及び図２に示すように、有底円筒状をなしており、円筒状の筒状本体５１と、筒状本体５１の下端部に装着された有底円筒状の底蓋体５２と、を備える。これら筒状本体５１及び底蓋体５２は、容器軸Ｏと同軸に配設されている。
筒状本体５１は、円筒状の胴部５３と、胴部５３の上端縁からに上方に向けて連設された筒状の口部３と、を有する。これら胴部５３及び口部３は、容器軸Ｏと同軸に配設されている。
【００２２】
口部３は、胴部５３の上端縁から上方に向けて連設された円筒状のネジ筒部６１と、ネジ筒部６１の上端縁から上方に向けて連設された筒状の接続筒部６２と、接続筒部６２の上端縁から上方に向けて連設された矩形筒状の取付筒部６３と、を有する。これらネジ筒部６１、接続筒部６２及び取付筒部６３は、容器軸Ｏと同軸に配設されている。
【００２３】
ネジ筒部６１の外周面には、雄ネジ部６１Ａが形成されている。
接続筒部６２の上側部分における内径及び外径は、上方に向かうにしたがって漸次縮径しており、接続筒部６２の上端開口部は、平面視で矩形状をなしている。
取付筒部６３の左右方向の内面には、図１に示すように、左右方向の内側に向けて突出する被係止突部６３Ａが形成されている。この被係止突部６３Ａの内面は、上端から下方に向かうにしたがって左右方向の内側に向かうように傾斜している。また、取付筒部６３の上端開口縁における左右方向の長さは、口部３に装着する前の塗布具１の支持体１２における左右方向の長さよりも長く、取付筒部６３の下端開口縁における左右方向の長さは、口部３に装着する前の塗布具１の支持体１２における左右方向の長さよりも短い。そのため、容器本体２に装着された塗布具１では、図１及び図３に示すように、複数の保持部３２が全体として左右方向の中央部分が上方に向けて突となるように変位することによって、スリット２１Ａが拡開されている。また、塗布具１の第１係止突部３７Ａは、図１に示すように、取付筒部６３の上端面に対して上方から係止し、第２係止突部３７Ｂは、被係止突部６３Ａの下端面に対して下方から係止している。
取付筒部６３の下端部における前後方向の内面には、図２に示すように、前後方向の内側に向けて突出する載置突部６３Ｂが形成されている。この載置突部６３Ｂ上には、保持部３２の下端面が載置される。
【００２４】
底蓋体５２は、図１及び図２に示すように、円板状の底板部７１と、底板部７１の外周縁部から上方に連設された円筒状の底筒部７２と、を有する。これら底板部７１及び底筒部７２は、容器軸Ｏと同軸に配設されている。
底板部７１は、中央部が下方に向けて膨出した椀状をなしている。また、底筒部７２は、胴部５３の内側に嵌合されている。なお、底筒部７２は、筒状本体５１の胴部５３に対して着脱可能であってもよい。これにより、容器本体２内に内容物を補充することができる。
【００２５】
また、容器本体２の内側には、例えばフェルトで形成されており、上下方向に長い柱状の吸上体７５が配設されている。吸上体７５の上端部の中央部には、脚部２２の下端部を収容する収容凹部７５Ａが形成されている。
さらに、容器本体２の口部３には、有頂円筒状のキャップ８１が螺着されている。
キャップ８１は、有頂円筒状のキャップ本体８２と、キャップ本体８２の内側に嵌合された有頂円筒状の中栓体８３と、を有する。これらキャップ本体８２及び中栓体８３は、容器軸Ｏと同軸に配設されている。
【００２６】
キャップ本体８２は、円板状の天板部８４と、天板部８４の外周縁から下方に向けて連設された円筒状の周筒部８５と、を有する。これら天板部８４及び周筒部８５は、容器軸Ｏと同軸に配設されている。周筒部８５の下端部の内周面には、ネジ筒部６１に形成された雄ネジ部６１Ａと螺合する雌ネジ部８５Ａが形成されている。
中栓体８３は、円板状の上板部８６と、上板部８６の外周縁から下方に向けて連設された円筒状の側筒部８７と、を有する。これら上板部８６及び側筒部８７は、容器軸Ｏと同軸に配設されている。
側筒部８７の下端部は、口部３の接続筒部６２の下側部分に外嵌されている。これにより、塗布容器４を使用していないときに内容物が蒸発することを抑制している。
【００２７】
以上のような構成の塗布具１は、支持体１２の案内部３３を口部３の取付筒部６３に沿って上側から挿入することによって、口部３に装着される。塗布具１の左右方向と取付筒部６３の左右方向とを合わせた状態で案内部３３を取付筒部６３に挿入していくと、一対の案内部３３は、取付筒部６３の被係止突部６３Ａによって、下方に向かうにしたがって左右方向の内側に向かうように傾斜するように案内される。これに応じて、複数の保持部３２は、全体として左右方向の中央部分が上方に向けて突となるように変位する。これにより、左右方向で隣り合う２つの保持部３２の間隔は、下方から上方に向かうにしたがって漸次大きくなるように拡開され、左右方向で隣り合う２つの指部２３間におけるスリット２１Ａの幅も、下方から上方に向かうにしたがって漸次大きくなるように拡開される。そして、保持部３２の第１係止突部３７Ａは、取付筒部６３の上端面に上方から係止し、案内部３３の第２係止突部３７Ｂは、取付筒部６３の下端面に下方から係止する。これにより、変位させた塗布具１が復元変形することを抑制する。このようにして、塗布具１は、口部３に装着される。
【００２８】
次に、以上のような構成の塗布具１を有する塗布容器４の使用方法を説明する。
容器本体２内の内容物は、吸上体７５に吸引され、含浸体１１には、吸上体７５から内容物が供給されている。キャップ８１を取り外した後、適宜容器本体２を倒立させて塗布対象である頭髪に接触させる。このとき、頭髪の一部は、指部２３の上端面に接触する。また、左右方向で隣り合う指部２３間のスリット２１Ａが拡開しているので、頭髪の一部は、指部２３間に位置し、指部２３のうち左右方向を向く面に接触する。この状態で塗布容器４を頭髪に対して前後方向に移動させるなどすることにより、含浸体１１に含まれている内容物である染毛剤を頭髪に塗布する。さらに、指部２３が挟持部３４の先端部から突出しており、指部２３間のスリット２１Ａの少なくとも一部が前後方向に露出しているので、頭髪は、スリット２１Ａ内で指部２３によって挟まれるように塗布される。
【００２９】
ここで、櫛歯部３５が指部２３の先端部から突出しており、塗布容器４を前後方向に移動させたときに、頭髪の流れを櫛歯部３５で整えているので、頭髪に沿って塗布具１を移動させやすくなる。また、櫛歯部３５が指部２３の先端部から突出しているので、指部２３が頭皮に接触することが抑制されている。同様に、指部２３のうち前後方向を向く面の外部への露出が挟持部３４によって抑えられていることによっても、指部２３が頭皮に接触することが抑制されている。
頭髪への染毛剤の塗布が終了した後、キャップ８１を口部３に螺着する。
以上のようにして、塗布具１を有する塗布容器４を使用する。
【００３０】
以上、本実施形態にかかる塗布具１によれば、指部２３間のスリット２１Ａが拡開されて頭髪との接触面積が増大するので、含浸体１１を頭髪により確実に接触させることができる。そのため、含浸体１１に含まれている内容物を頭髪により均一に塗布することが可能となる。また、保持部３２を意識的に変位させているので、装着時に指部２３間のスリット２１Ａを確実に拡開させることができる。
さらに、挟持部３４が指部２３のうち前後方向を向く面の外部への露出を抑えているので、指部２３のこれら面が頭皮などの塗布対象ではない部分に接触することを抑制できる。そのため、塗布具１の操作性が向上する。
その上、指部２３が櫛歯状をなすように配列されているので、指部２３間のスリット２１Ａに頭髪を通過させて内容物を塗布することが可能となる。そのため、頭髪に対してより均一に内容物を塗布できる。
【００３１】
なお、本発明は上記実施形態に限定されるものではなく、本発明の趣旨を逸脱しない範囲において種々の変更を加えることができる。
例えば、容器本体は、有底円筒状ではなく、例えば図７及び図８に示すような有底楕円筒状など、他の形状であってもよい。
【００３２】
図７及び図８に示す塗布容器１００の容器本体１０１は、楕円筒状の筒状本体１０２と、有底楕円筒状の底蓋体（図示略）と、を備える。
筒状本体１０２は、楕円筒状の胴部１０３と、胴部１０３の上端縁から上方に向けて連設された楕円筒状の口部１０４と、を有する。口部１０４は、楕円筒状の装着筒部１０５と、筒状の接続筒部１０６と、矩形筒状の取付筒部１０７と、を有する。
装着筒部１０５の上端部における外周面には、径方向内側に窪む収容溝部１０５Ａが全周にわたって形成されており、この収容溝部１０５Ａには、平面視で楕円状のシールリング１０８が配設されている。また、装着筒部１０５の下端部における外周面には、径方向外側に突出する第１装着突部１０５Ｂが形成されている。
また、容器本体１０１の口部１０４には、有頂楕円筒状のキャップ１１０が装着されている。キャップ１１０は、楕円筒状の外筒部１１１と、外筒部１１１の上下方向の中間部から上方に向けて連設された有頂楕円筒状の内筒部１１２と、を有する。外筒部１１１の下側部分のうち内筒部１１２との接続部分よりも下側の部分の内周面は、シールリング１０８に当接している。これにより、塗布具１が密閉される。また、外筒部１１１の下端部における内周面には、径方向内側に向けて突出し、第１装着突部１０５Ｂに対して下方から係止する第２装着突部１１２Ａが形成されている。
【００３３】
また、内容物は、染毛剤に限られず、他の内容物であってもよく、含浸体に含浸されるような内容物であれば液状に限定されない。また、塗布対象も、頭髪に限定されず、他の塗布対象であってもよい。
含浸体は、フェルトに限らず、スポンジなど、他の材料によって形成されてもよく、内容物を含むことができ、スリットを拡開するように変位可能であれば、弾性変形可能である必要はない。
含浸体の形状は、Ｔ字状に限らず、適宜変更してもよい。
支持体は、スリットを拡開するように変位可能であり、口部に装着した状態でスリットの拡開状態を維持できればよく、弾性変形可能である必要はない。ここで、挟持部及び指部のうちの少なくとも一方が左右方向に広がるように弾性変形可能である場合には、支持体を口部に装着した後に挟持部及び指部のうちの少なくとも一方が復元変形しようとすることにより、支持体、ひいては塗布具と口部（取付筒部）との係合力を高め、より確実な抜け止めをすることが可能となる。
支持体は、一対の支持半体によって形成されているが、他の構成を有していてもよい。
保持部は、指部を挟持しているが、例えば指部を上下方向に貫通する串状の構成など、指部を保持できれば他の構成であってもよい。また、保持部には、櫛歯部が設けられているが、櫛歯部が設けられていなくてもよい。
スリットは、少なくとも１本形成されていればよい。
スリットは、含浸体の上端部から下方に向けて直線状に形成されているが、例えばＳ字状など、他の形状であってもよく、必ずしも上下方向と平行に延在する必要はない。また、スリットの形状は、直線状に限定されず、Ｖ字状の溝など、他の形状であってもよい。
スリットは、左右方向に間隔をあけて配列されているが、例えば平面視で十字状をなすようになど、他の形式で配列されてもよい。
容器本体内には、吸上体が配設されているが、例えば容器本体を倒立させることによっても内容物を含浸体に含浸させることができるので、吸上体が配設されていなくてもよい。
各構成部材の説明において、「円筒状」、「矩形筒状」、「楕円状」などと記載しているが、三角形状などのような他の多角形状など、適宜他の形状であってもよい。
【産業上の利用可能性】
【００３４】
この発明によれば、塗布対象に対してより均一に内容物を塗布することができる塗布具に関して、産業上の利用可能性が認められる。
【符号の説明】
【００３５】
１  塗布具、２，１０１  容器本体、３，１０４  口部、１１  含浸体、１２  支持体、２１Ａ  スリット、２３  指部、３２，３２Ｌ，３２Ｒ  保持部
【図１】
2020018530.tif 000003
【図２】
2020018530.tif 000004
【図３】
2020018530.tif 000005
【図４】
2020018530.tif 000006
【図５】
2020018530.tif 000007
【図６】
2020018530.tif 000008
【図７】
2020018530.tif 000009
【図８】
2020018530.tif 000010